(57)【要約】      （修正有）【課題】装飾性が高く、粗末に扱われにくいお守りの提供。【解決手段】お守りは、宝石と、宝石を固定保持する台座部３０と、台座部３０および宝石を揺動可能に支持するフレーム部５０とを備える。フレーム部５０の外面には、文字装飾部材７０が設けられている。文字装飾部材７０は、台座部３０の台座本体部３２の背面側が配置される側のフレーム部５０の外面および宝石の正面側が配置される側のフレーム部５０の外面の少なくとも一方に設けられている。【選択図】図１
0003227607.tif 000002
【実用新案登録請求の範囲】
【請求項１】
天然宝石、合成宝石、人造宝石、模造宝石、天然宝石の原石、および、自然石の群から選ばれる宝石類と、
台座本体部、前記宝石類を挟んで相対的な位置に配置されたアーム部、および、前記アーム部の先端部分に配置され、少なくとも一部が円弧状に設けられた台座側係合リング部を有し、前記宝石類を固定保持する台座部と、
少なくとも一部が円弧状に設けられたフレーム側係合リング部を有し、前記フレーム側係合リング部が前記台座側係合リング部に連結されて係合し、前記台座部および前記宝石類を揺動可能に支持するフレーム部と、
前記台座本体部の背面側が配置される側の前記フレーム部の外面および前記宝石類の正面側が配置される側の前記フレーム部の外面の少なくとも一方に設けられた文字装飾部材と、
を備える、お守り。
【請求項２】
前記文字装飾部材が設けられている前記フレーム部の外面とは反対側の前記フレーム部の外面に、補助部材が設けられている、請求項１に記載のお守り。
【請求項３】
前記補助部材は、前記フレーム部において前記文字装飾部材が設けられている側とは反対側の面の一部または全部を覆う、請求項２に記載のお守り。
【請求項４】
前記補助部材は、中心部に孔を持った円板状の部材であり、
前記フレーム部の外面を覆う前記円板状の部材の前記孔において前記台座本体部の背面側又は前記宝石類の正面側が露出する、請求項２又は請求項３に記載のお守り。
【請求項５】
前記円板状の部材は、前記フレーム部に対して着脱可能に固定された硬貨である、請求項４に記載のお守り。
【請求項６】
前記アーム部は、一部または全部が捩じられて設けられている、請求項１〜５のいずれか１項に記載のお守り。
【考案の詳細な説明】
【技術分野】
【０００１】
本考案は、お守りに関する。
【背景技術】
【０００２】
宝石類を用いたお守りが知られている。例えば、特許文献１には、予め御祓を施した宝石類を取り付けたカード形状のお守りが開示されている。特許文献２には、宝石等の硬質の無機質基材にミクロンオーダーの宗教情報が印刷されたお守りが開示されている。
【先行技術文献】
【特許文献】
【０００３】
【特許文献１】特開２００４−３５８０７２号公報
【特許文献２】実開平０３−０６０５８４号公報
【考案の概要】
【考案が解決しようとする課題】
【０００４】
本考案は、従来のお守りに比べ、さらに装飾性が高く、粗末に扱われにくいお守りを提供することを目的とする。
【課題を解決するための手段】
【０００５】
本考案は、以下の態様を含む。
本考案のお守りは、
天然宝石、合成宝石、人造宝石、模造宝石、天然宝石の原石、および、自然石の群から選ばれる宝石類と、
台座本体部、前記宝石類を挟んで相対的な位置に配置されたアーム部、および、前記アーム部の先端部分に配置され、少なくとも一部が円弧状に設けられた台座側係合リング部を有し、前記宝石類を固定保持する台座部と、
少なくとも一部が円弧状に設けられたフレーム側係合リング部を有し、前記フレーム側係合リング部が前記台座側係合リング部に連結されて係合し、前記台座部および前記宝石類を揺動可能に支持するフレーム部と、
前記台座本体部の背面側が配置される側の前記フレーム部の外面および前記宝石類の正面側が配置される側の前記フレーム部の外面の少なくとも一方に設けられた文字装飾部材と、を備える。
【０００６】
本考案のお守りは、前記文字装飾部材が設けられている前記フレーム部の外面とは反対側の前記フレーム部の外面に、補助部材が設けられていることが好ましい。
【０００７】
前記補助部材は、前記フレーム部において前記文字装飾部材が設けられている側とは反対側の面の一部または全部を覆うことが好ましい。
【０００８】
前記補助部材は、中心部に孔を持った円板状の部材であり、前記フレーム部の外面を覆う前記円板状の部材の前記孔において前記台座本体部の背面側又は前記宝石類の正面側が露出することが好ましい。
【０００９】
前記円板状の部材は、前記フレーム部に対して着脱可能に固定された硬貨であることが好ましい。
【００１０】
前記アーム部は、一部または全部が捩じられて設けられていることが好ましい。
【考案の効果】
【００１１】
本考案の一実施形態によれば、台座部に保持された宝石類を揺動するように配されている構造を備えているため、従来のお守りに比べて装飾性が高く、粗末に扱われにくいお守りが提供される。
【図面の簡単な説明】
【００１２】
【図１】本実施形態に係るお守りの一例を模式的に示す斜視図である。
【図２】本実施形態に係るお守りの一例を模式的に示す正面図である。
【図３】本実施形態に係るお守りの他の一例を模式的に示す斜視図である。
【図４】本実施形態に係るお守りの他の一例を模式的に示す正面図である。
【図５】本実施形態に係るお守りの他の一例を模式的に示す斜視図である。
【図６】本実施形態に係るお守りの他の一例を模式的に示す斜視図である。
【考案を実施するための形態】
【００１３】
古来より日本には、神社仏閣にお参りした人が神社またはお寺からお守を授与される習慣がある。そして、お守りを授与された人は、厄除け、金運、健康、交通安全等の祈願の内容に応じたお守りを授与されることで、目的とするご利益に授かれると信じられている。しかしながら、せっかくお守を授与されたにもかかわらず、お守が粗末に扱われた場合には、目的とするご利益が得られ難くなるという考え方もある。
【００１４】
従来、宝石が用いられたお守りが知られている。例えば、ミクロンオーダーの宗教情報を印刷した宝石をお守りとして、指輪などに取り付ける技術が知られている。しかし、このお守りは、宝石そのものであり、宝石が小さい場合は、何かに取り付けないと、紛失してしまうことがあり、結果的に粗末に扱われてしまうことにもなる。
【００１５】
また、例えば、接着剤、ねじ止め、ボルト止めなどの固定金具により、宝石をカードに固定する技術が知られている。カードに固定された宝石は、カードに対して揺動することはない。このように宝石をカードに固定しただけのお守りでは、装飾性が十分とはいえず、粗末に扱われる場合がある。従って、装飾性が高く、粗末に扱われにくいお守りが求められていた。
【００１６】
一方、保持部材に保持された宝石類が揺動自在に取り付けられていると、宝石類が揺動することにより、宝石が止まっているときよりもキラキラと輝いて見える。このため宝石の美しさが更に強調される。これまでの宝石が取り付けられたお守りは、宝石の美しさが十分に発揮されていなかった。本考案のお守りであれば、より装飾性が高いものとなるため、従来のお守りに比べ、粗末に扱われにくくなる。さらに、目的とするご利益がいっそう得られやすくなる印象を与えることも可能となる。
【００１７】
本考案の実施形態に係るお守りにおいて、「宝石類」は、天然宝石、合成宝石、人造宝石、模造宝石、天然宝石の原石、および、自然石の群から選ばれる。
【００１８】
宝石類に含まれる各石は、例えば以下のとおりである。
天然宝石は、ダイヤモンド、ルビー、サファイヤ、水晶等の自然に生み出される宝石を含む。また、天然宝石は、改良（エンハンスメント）、改変（トリートメント）等の処理が加えられた処理宝石も含む。
合成宝石は、天然石と同一又は類似の化学特性、物理特性、内部構造を有し、人工的に作り出された宝石をいう。合成宝石は、人工宝石とも呼ばれる。
人造宝石は、自然界に存在しないものの、一定の化学特性、物理特性、内部構造を有しており、例えば、キュービック・ジルコニア（ＣＺ）、ヤグ（ＹＡＧ）等の天然宝石とは異なる物質を使用して作り出された宝石をいう。
模造宝石は、天然宝石を模した色、外観等を有しているものの、化学特性及び物理構造が異なり、例えば、ガラス、プラスチック、セラミックス等を使用して天然宝石を模して形成される宝石をいう。
天然宝石の原石は、天然宝石の原料として産出され、カット加工及び研磨加工が施されていないもの（自然に生み出された、採掘されたままのもの）をいう。なお、天然宝石の原石が大き過ぎる場合には、お守りに適用するための大きさに加工する意味での機械加工は施されてもよい。
自然石は、天然宝石の原石以外の自然に生み出された石をいう。
【００１９】
以下、本考案のお守りの好ましい実施形態の一例について、図面を参照して説明する。なお、本考案は、以下で説明する各実施形態に限定されるものではなく、本考案のお守りと実質的に同一な構成を有し、かつ、同様な作用効果を奏しさえすれば、多様な変更が可能である。
【００２０】
まず、第１実施形態に係るお守りについて説明する。図１は、第１実施形態に係るお守りの一例を表す斜視図であり、第１実施形態に係るお守り１００において台座部３０の裏面が配置される側を斜めから見た図である。図２は、第１実施形態に係るお守り１００の正面図であり、宝石１０の正面が配置される側である正面から見た図を示している。
【００２１】
本実施形態（以下、第１実施形態および第２実施形態を総称して本実施形態と称する）に係るお守りに関する説明において、便宜上、台座本体部の背面（裏面）側が見える方向の面を底面または下面といい、その反対側の面（つまり、宝石類の正面が見える方向の面）を正面または上面という。
【００２２】
第１実施形態に係るお守り１００は、宝石類の一例である天然宝石１０と、天然宝石１０（以下、「宝石１０」とも称する）を固定保持する台座部３０と、台座部３０および宝石１０を揺動可能に支持するフレーム部５０と、フレーム部５０の外面に設けられた文字装飾部材７０を備えている。文字装飾部材７０は、台座部３０が有する台座本体部３２の背面側が配置される側のフレーム部５０における外面に設けられている。また、お守り１００は、文字装飾部材７０が設けられている外面とは反対側の面に、補助部材９０の一例である５円玉硬貨を備えている。
【００２３】
台座部３０は、台座本体部３２と、宝石１０を挟んだ両側の位置に、相対的な位置（つまり、宝石１０の正面から見て左右の関係になる位置）となるように配置された２つのアーム部３４を有し、それぞれのアーム部３４の先端部分に、それぞれ円環状に形成された２つの台座側係合リング部３６を有している。台座本体部３２の中央部には、円形の開口部３２Ａが設けられている。宝石１０のキューレット部（宝石類の底部の一例）を台座本体部３２の開口部３２Ａから突き出した状態で、宝石１０が台座部３０に固定保持される。宝石１０は、台座本体部３２に設けられた４本の爪部３８によって固定されている。
【００２４】
アーム部３４は、台座本体部３２と２つの台座側係合リング部３６とを連結する連結部分である。２つのアーム部３４は、互いに対称的な形状を有し、台座本体部３２から外側に向けて延びている。なお、アーム部３４は、目的に応じて変更が可能であり、例えば、少なくとも一部が捩じられて設けられていてもよい。具体的には、アーム部３４は、台座本体部３２から延びるとともに、宝石１０の正面に対して傾斜して配されていてもよい。この場合、台座側係合リング部３６もアーム部３４の傾斜と同様に傾斜している。この傾斜角度は、台座本体部３２における爪部３８が設けられる側の面に対して０°を超え９０°以下の範囲であってよい。なお、アーム部３４の連結長さ、傾斜部分の有無などの変更が可能であり、アーム部３４を設けずに台座部３０を形成することも可能である。
【００２５】
台座部３０は、例えば、金、プラチナ、シルバー、真鍮等の貴金属製の板材にプレス加工などの加工を行うことによって、単一の部材として形成されている。台座部３０の材質、作製方法は特に限定されない。また、台座本体部３２、爪部３８の形状および配設個数なども限定されない。目的に応じて変更することが可能である。
【００２６】
フレーム部５０は、円環状に形成された第１枠部材５０Ａ、第１枠部材５０Ａよりも径が小さい円環状に形成された第２枠部材５０Ｂ、および第２枠部材５０Ｂよりも径が小さい円環状に形成された第３枠部材５０Ｃを備えている。第１枠部材５０Ａ、第２枠部材５０Ｂ、および第３枠部材５０Ｃは、上面側（正面側）から下面側（底面側）に向かってこの順番に配置されている。第１枠部材５０Ａは、フレーム部５０の正面側に配置され、第２枠部材５０Ｂおよび第３枠部材５０Ｃは、フレーム部５０の底面側に設けられている。第１枠部材５０Ａ、第２枠部材５０Ｂ、および第３枠部材５０Ｃのそれぞれの上面および下面は、互いに異なる平面に位置しており、これらの部材のうち、第３枠部材５０Ｃの下面（お守り１００における底面）が最も底面側に位置している。
【００２７】
第１枠部材５０Ａと第２枠部材５０Ｂとは、第１枠部材５０Ａから第２枠部材５０Ｂに向かって互いに異なる斜め方向に設けられた第１リブ部材５１Ａのペアによって連結されており、複数の第１リブ部材５１Ａのペアが第１枠部材５０Ａと第２枠部材５０Ｂとの間に設けられている。また、第２枠部材５０Ｂと第３枠部材５０Ｃとは、第２枠部材５０Ｂから第３枠部材５０Ｃに向かって互いに異なる斜め方向に設けられたに第２リブ部材５１Ｂのペアよって連結されており、複数の第２リブ部材５１Ｂのペアが第２枠部材５０Ｂと第３枠部材５０Ｃとの間に設けられている。フレーム部５０は、内部に、宝石１０および台座部３０を収容可能な空間をもった構造で形成されている。この内部空間は、第１枠部材５０Ａ、第２枠部材５０Ｂ、第１枠部材５０Ａと第２枠部材５０Ｂとをつなぐ第１リブ部材５１Ａ、第３枠部材５０Ｃ、および第２枠部材５０Ｂと第３枠部材５０Ｃとをつなぐ第２リブ部材５１Ｂによって、フレーム部５０の内側に形成される。
【００２８】
フレーム部５０の内部空間には、第３枠部材５０Ｃの内周側の開口部５０Ｄから見える位置に、台座部３０を支持するための中間部材５２が設けられている。中間部材５２は、円環状に形成された中間部材本体５４と、４本の支柱部材５６を備えている。支柱部材５６は、それぞれ、中間部材本体５４と同じ平面の方向に放射状に向かって延びる第１支柱部位５６Ａと、第１支柱部位５６Ａが折り曲げられた折り曲げ支柱部位５６Ｂと、折り曲げ支柱部位５６Ｂから第３枠部材５０Ｃに向かって延びる第２支柱部位５６Ｃとを備えている。第２支柱部位５６Ｃの伸びた先端部分は、第３枠部材５０Ｃと接合している。第１枠部材５０Ａ、第２枠部材５０Ｂ、第３枠部材５０Ｃ、および中間部材５２の各部材は、同心円状に配置されており、各枠部材５０Ａ、５０Ｂ、５０Ｃと、中間部材５２とのそれぞれの上面および下面は、異なる平面に配置されている。
【００２９】
中間部材５２は、中間部材本体５４の底面に、２つのフレーム側係合リング部５８を備えている。フレーム側係合リング部５８は円環状に形成されており、台座側係合リング部３６を挿入可能な間隙を有する。２つのフレーム側係合リング部５８は、互いにほぼ平行に設けられている。フレーム側係合リング部５８は、断面が円形を呈する線状部材を予め定められた長さに切断し、更に切断した線状部材をリング状に曲げることにより形成されている。台座部３０に設けられた台座側係合リング部３６と、フレーム部５０の中間部材５２に設けられたフレーム側係合リング部５８とは、互いに相手方の中央開口部を貫通するとともに、各々の内周縁部同士を接触させるようにして相互に係合している。台座部３０は、台座本体部３２の背面（裏面）がお守り１００の底面側に配置されている。
【００３０】
台座側係合リング部３６は、周方向に直交する断面の形状が、異形断面形状を呈するように形成されていてもよい。具体的には、台座側係合リング部３６は、例えば、周方向に直交する断面の形状が内周端縁に向けて次第に細くなる（尖る）形状を備えて形成されていてもよい。これにより、台座側係合リング部３６をフレーム側係合リング部５８に連結したときに、台座側係合リング部３６とフレーム側係合リング部５８が互いに交差して接触する接触部において、台座側係合リング部３６とフレーム側係合リング部５８との接触面積を小さくすることができる。その結果、フレーム部５０に対して台座部３０が揺動するときに、フレーム側係合リング部５８に対する台座側係合リング部３６の摩擦抵抗を小さく抑えることができるため、台座部３０及び宝石１０をフレーム部５０に対して円滑に揺動させることができる。更に、台座部３０及び宝石１０の揺動運動の停止が抑制され、揺動時間をより長く延ばすことが可能となる。なお、台座側係合リング部３６の断面形状は限定されず、台座側係合リング部３６の断面を円形または円形以外の形状に形成すること等も可能である。
【００３１】
フレーム側係合リング部５８に台座側係合リング部３６を連結する場合には、フレーム側係合リング部５８の間隙に台座側係合リング部３６を挿入し、フレーム側係合リング部５８を台座側係合リング部３６の中央開口部３６Ａに挿通させて交差させる。次に、フレーム側係合リング部５８が台座側係合リング部３６の中央開口部３６Ａに挿通している状態で、フレーム側係合リング部５８をその両端部同士を突き合わせて前述の間隙がなくなるように押圧して環状に塑性変形させる（加締める）。これによって、台座側係合リング部３６の内周縁部とフレーム側係合リング部５８の内周縁部とを互いに接触させて繋ぎ合わせることができる。なお、必要に応じて、フレーム側係合リング部５８を塑性変形させた後に、フレーム側係合リング部５８の突き合わされた端部同士をレーザ加工、ロウ付けなどによって固定してもよい。
【００３２】
第１実施形態に係るお守り１００は、フレーム部５０の底面側（台座本体部３２の背面側が配される側）に、文字装飾部材７０が設けられている。図１の例において、フレーム部５０の底面側には、底面側から見て時計回りに判読可能となる「金」、「運」、「御」、および「守」の４文字を表した４つの文字装飾部材７０が設けられている。文字装飾部材７０は、第２枠部材５０Ｂおよび第３枠部材５０Ｃの底面に跨って設けられている。文字装飾部材７０は、その上面側（お守り１００の正面側）の一部が第２枠部材５０Ｂおよび第３枠部材５０Ｃのそれぞれ底面側の一部に埋もれて連なっていることにより、フレーム部５０の一部の部材として、リブの役割も果たしている。文字装飾部材７０の底面部は、第３枠部材５０Ｃの底面部よりもさらに底面側に配置されている。文字装飾部材７０は、フレーム部５０とは別部材で構成し、レーザ加工などによりフレーム部５０に接合されていてもよい。文字装飾部材７０の接合は、レーザ加工に限らず、ろう付け等による溶着、接着剤等による接着でもよい。お守り１００では、装飾文字部材として、「金運御守」の文字が用いられているが、「厄除」、「交通安全」など、目的に応じて変更が可能である。
【００３３】
お守り１００は、フレーム部５０の正面（文字装飾部材７０が設けられている側と反対側の外面）に、補助部材９０を備えている。補助部材９０は、第１枠部材５０Ａの内周面に接して嵌め込まれている。第１実施形態のお守り１００では、補助部材９０の一例として、５円玉硬貨を備えており、フレーム部５０の正面を覆っている。第１実施形態のお守り１００が備える補助部材９０としては、５円玉硬貨以外にも、例えば、５０円玉硬貨など、中心部に孔を持った円板状の硬貨であってもよい。硬貨を補助部材９０として用いる場合は、硬貨を損傷するなど加工することなく、フレーム部５０に対して硬貨が着脱可能に固定されていてもよい。この場合、硬貨を取り外すことが可能な図示しない接着剤を用いて硬貨をフレーム部５０に接着してもよい。補助部材として、５円玉硬貨など中心部に孔を持った硬貨を用いると、フレーム部５０の外面を覆う硬貨の孔において宝石１０の正面側が露出する。すなわち、５円玉硬貨の孔から揺動する宝石１０が見える。このため、お守りとして、装飾効果が高まり、今までにない斬新なイメージ（美感）を与えることができる。さらに、金運に対するご縁が高まると期待されることが印象付けられる。このため、お守りを授与された者は、より大切に扱うようになることが期待される。もちろん、補助部材として取り付けられた硬貨を取り外して、お賽銭等として使用してもよい。
【００３４】
補助部材９０の一例として、硬貨を示しているが、硬貨に限られない。第１実施形態のお守り１００が備える宝石１０の正面は、フレーム部５０の正面側に配置されるため、補助部材９０は、中心付近に円形状の穴が開いたドーナツ状に形成された部材であることが好適である。補助部材９０は、正面側から見て宝石１０の正面が見える種々の形状および材質に変更が可能である。
【００３５】
なお、第１実施形態のお守り１００は、図３に示すお守り１０２のように、補助部材９０を取りつけない態様であってもよい。図３に示すお守り１０２の構造は、お守り１００の補助部材９０を備えていないこと以外は、お守り１００と同様であり、実質的に同じ構成を有する部分又は部材については同じ符号を用いて表すことによって、その詳しい説明を省略する。
【００３６】
次に、第２実施形態に係るお守り２００について説明する。図４は、本実施形態に係るお守りの他の一例を表す正面図であり、第２実施形態に係るお守り２００を宝石２０の正面が配置される側である正面から見た図を示している。図５は、第２実施形態に係るお守り２００において台座部４０の裏面が配置される側を斜めから見た図である。
【００３７】
第２実施形態に係るお守り２００は、第１実施形態に係るお守り１００と同様に、宝石類の一例である天然宝石２０と、天然宝石２０（以下、「宝石２０」とも称する）を固定保持する台座部４０と、台座部４０および宝石２０を揺動可能に支持するフレーム部６０を備えている。また、台座部４０は、台座本体部４２と、宝石２０を挟んだ両側の位置に、相対的な位置となるように配置された２つのアーム部４４を有し、それぞれのアーム部４４の先端部分に、それぞれ円環状に形成された２つの台座側係合リング部４６を有している。
【００３８】
第２実施形態に係るお守り２００では、第１実施形態に係るお守り１００と異なり、フレーム部６０における宝石２０の正面が配置される側（すなわち、台座本体部４２の背面側が配置される側とは反対側）に、文字装飾部材８０が設けられている。つまり、第２実施形態に係るお守り２００では、台座部４０が設けられる配置が、第１実施形態に係るお守り１００における配置と異なっている。このため、第２実施形態に係るお守り２００の正面側は、第１実施形態に係るお守り１００の底面側と同じ側となる。
【００３９】
フレーム部６０は、円環状に形成された第１枠部材６０Ａ、第１枠部材６０Ａよりも径が小さい円環状に形成された第２枠部材６０Ｂ、および第２枠部材６０Ｂよりも径が小さい円環状に形成された第３枠部材６０Ｃを備えている。第１枠部材６０Ａ、第２枠部材６０Ｂ、および第３枠部材６０Ｃは、下面側（底面側）から上面側（正面側）に向かってこの順番に配置されている。第１枠部材６０Ａは、フレーム部６０の底面側に配置され、第２枠部材６０Ｂおよび第３枠部材６０Ｃは、フレーム部６０の正面側に設けられている。第１枠部材６０Ａ、第２枠部材６０Ｂ、および第３枠部材６０Ｃのそれぞれの上面および下面は、互いに異なる平面に位置しており、これら枠部材のうち、第３枠部材６０Ｃが最も正面側に位置している。
【００４０】
第１枠部材６０Ａと第２枠部材６０Ｂとは、第１枠部材６０Ａから第２枠部材６０Ｂに向かって互いに異なる斜め方向に設けられた第１リブ部材６１Ａのペアによって連結されており、複数の第１リブ部材６１Ａのペアが第１枠部材６０Ａと第２枠部材６０Ｂとの間に設けられている。また、第２枠部材６０Ｂと第３枠部材６０Ｃとは、第２枠部材６０Ｂから第３枠部材６０Ｃに向かって互いに異なる斜め方向に設けられた第２リブ部材６１Ｂのペアによって連結されており、複数の第２リブ部材６１Ｂのペアが第２枠部材６０Ｂと第３枠部材６０Ｃとの間に設けられている。お守り２００では、ペアをなす２本の第１リブ部材６１Ａの間に、第２枠部材６０Ｂから第１枠部材６０Ａの方向に向かって延びる装飾部６１Ｃを備えている。装飾部６１Ｃは、第１枠部材６０Ａ側が第２枠部材６０Ｂ側よりも幅が狭い略三角形の部材と、この略三角形で挟まれた内側に設けられた略球形状の部材とを備えている。フレーム部６０は、内部に、宝石２０および台座部４０を収容可能な空間をもった構造で形成されている。この内部空間は、第１枠部材６０Ａ、第２枠部材６０Ｂ、第１枠部材６０Ａと第２枠部材６０Ｂとをつなぐ第１リブ部材６１Ａ、第３枠部材６０Ｃ、および第２枠部材６０Ｂと第３枠部材６０Ｃとをつなぐ第２リブ部材６１Ｂによって、フレーム部６０の内側に形成される。
【００４１】
フレーム部６０の内部空間には、宝石２０と、宝石２０を保持する台座部４０とを備えている。お守り２００では、第３枠部材６０Ｃの下面（底面）に、２つのフレーム側係合リング部６８を備えている。フレーム側係合リング部６８は円環状に形成されており、台座側係合リング部４６を挿入可能な間隙を有する。台座部４０に設けられた台座側係合リング部４６と、第３枠部材６０Ｃに設けられたフレーム側係合リング部６８とは、互いに相手方の中央開口部を貫通するとともに、各々の内周縁部同士を接触させるようにして相互に係合している。このため、お守り２００では、第３枠部材６０Ｃの内周側の開口部分６０Ｄから、宝石２０の正面が臨める位置に、台座部４０が配置されている。
【００４２】
第２実施形態に係るお守り２００は、フレーム部６０の正面側（宝石２０の正面側が配される側）に、文字装飾部材８０が設けられている。図４の例において、フレーム部６０の正面側には、正面側から見て時計回りに判読可能となる「明」、「治」、「神」、および「宮」の４文字を表した４つの文字装飾部材８０が設けられている。文字装飾部材８０は、第２枠部材６０Ｂおよび第３枠部材６０Ｃの上面に跨って設けられている。文字装飾部材８０は、その下面側（お守り２００の底面側）の一部が第２枠部材６０Ｂおよび第３枠部材６０Ｃのそれぞれ上面側の一部に埋もれて連なっていることにより、フレーム部６０の一部の部材として、リブの役割も果たしている。文字装飾部材８０の上面部は、第３枠部材６０Ｃの上面部よりもさらに上面側に配置されている。文字装飾部材８０は、フレーム部６０とは別部材で構成し、レーザ加工などによりフレーム部６０に接合されていてもよい。文字装飾部材８０の接合は、レーザ加工に限らず、ろう付け等による溶着、接着剤等による接着でもよい。図４に示すお守り２００では、４つの文字装飾部材８０によって「明治神宮」の４文字が表されているが、他の神社仏閣の名称など、目的に応じて変更が可能である。
【００４３】
お守り２００は、フレーム部６０の底面（文字装飾部材８０が設けられている側と反対側の外面）に、円盤状のガラス製の補助部材９２（補助部材の一例）を備えており、フレーム部６０の底面を覆っている。補助部材９２は開口部を備えておらず、第１枠部材６０Ａの内周面に接して嵌め込まれている。補助部材９２は、お守り２００から脱落しないように、お守り２００に固定されて設けられている。
【００４４】
補助部材９２は、お守り２００に着脱可能に設けてもよく、補助部材９２を設けなくてもよい。補助部材９２を設ける場合には、円盤状、ドーナツ状のいずれ形状の部材でもよい。お守り２００に設けられる好適な補助部材としては、ガラス製に限らず、例えば、樹脂製（アクリル、ポリカーボネートなど）の部材が挙げられる。この他、セラミック製、樹脂製の不透明な部材でもよい。不透明な補助部材を用いる場合には、お守りの底面側から入射する光が遮られるため、宝石の輝きが低下する。このため、宝石の底面側からも光が取り入れられて、宝石の輝きの低下を抑制する点で、台座本体部４２の背面が見える位置（宝石の底面が見える位置）に開口部分を持つ形状（例えば、ドーナツ状など）が好適である。補助部材には、文字、模様などにより、ご祭神、ご神紋、ご本尊などを施してもよい。なお、本明細書中における不透明とは、全く光を通さない場合の他、着色されている透明を含み、透けて見える場合を含む意味である。
【００４５】
補助部材９２は、円盤状のガラス製の部材に代えて、５円玉硬貨や５０円玉硬貨などの中心部に孔を持った円板状の部材を用いてもよい。円板状の部材である硬貨を補助部材９２として用いる場合は、フレーム部６０に対して硬貨が着脱可能に固定されていてもよい。この場合、硬貨を取り外すことが可能な図示しない接着剤を用いて硬貨をフレーム部６０に接着してもよい。５円玉硬貨など中心部に孔を持った硬貨を補助部材９２として用いると、フレーム部６０の外面を覆う硬貨の孔において台座部４０の台座本体部４２の背面側が露出する。これにより、台座本体部４２の背面側に外光が当たり易くなるため、宝石２０を輝き易くすることができる。また、硬貨を補助部材９２として用いると、お守りのご利益、ご縁などが高まることが期待される印象が強くなり得る。このため、お守りを授与された者は、より大切に扱うようになることが期待される。もちろん、補助部材として取り付けられた硬貨を取り外して、お賽銭等として使用してもよい。
【００４６】
第２実施形態のお守り２００は、図６に示すお守り２０２のように、補助部材９２を取りつけない態様であってもよい。図６に示すお守り２０２の構造は、お守り２００の補助部材９２を備えていないこと以外は、お守り２００と同様であり、実質的に同じ構成を有する部分又は部材については同じ符号を用いて表すことによって、その詳しい説明を省略する。
【００４７】
本実施形態に係るお守り１００、２００は、お守り１００に設けられた連結部材５９，お守り２００に設けられた連結部材６９に、図示しない紐状部材を取り付けることも可能である。紐状部材を用いることで、お守り１００、２００を、身に着ける、カバンに取り付ける、自動車内外の所望の場所に取り付けるなど、目的に応じた使用形態が可能となる。お守り１０２、２０２も同様の態様が可能である。
【００４８】
本実施形態に係るお守り１００、１０２、２００、２０２は、フレーム部５０、６０を構成する各部材の太さ、全体の形状、断面形状などを、目的に応じて変更することが可能である。また、本実施形態において、文字装飾部材７０、８０の外面は、平面状に設けられているが、丸みを帯びた凸状に形成された態様であってもよい。
【符号の説明】
【００４９】
１０，２０・・・宝石（宝石類の一例）、３０，４０・・・台座部、３２，４２・・・台座本体部、３４，４４・・・アーム部、３６，４６・・・台座側係合リング部、５０，６０・・・フレーム部、５８，６８・・・フレーム側係合リング部、７０，８０・・・文字装飾部材、９０，９２・・・補助部材、１００，１０２，２００，２０２・・・お守り
【図１】
0003227607.tif 000003
【図２】
0003227607.tif 000004
【図３】
0003227607.tif 000005
【図４】
0003227607.tif 000006
【図５】
0003227607.tif 000007
【図６】
0003227607.tif 000008